(57)【要約】【課題】光学シート等の光学部材を確実に固定するとともに、使用環境の温度変化が生じたような場合であっても当該光学部材に皺や撓みが生じ難く、均一な光を出射することが可能で、品質に優れた照明装置を提供する。【解決手段】本発明の照明装置１２は、光源１７と、光源１７よりも光出射部１５ｚ側に配された光学部材１５とを備え、光学部材１５は、一対の挟持部材により挟持されてなり、挟持部材は、光学部材１５を光源１７側から挟持する第１挟持部材１４と、光学部材１５を光源１７側とは反対側から挟持する第２挟持部材１６，１６ａと、を備え、光学部材１５と第２挟持部材１６，１６ａとの間には緩衝部材７０が介在されてなり、緩衝部材７０は圧電素子７２を具備してなることを特徴とする。【選択図】図５
2010003582.tif 000002
【特許請求の範囲】
【請求項１】
光を出射する光出射部を備えた照明装置であって、
光源と、前記光源よりも前記光出射部側に配された光学部材とを備え、
前記光学部材は、一対の挟持部材により挟持されてなり、
前記挟持部材は、前記光学部材を前記光源側から挟持する第１挟持部材と、前記光学部材を前記光源側とは反対側から挟持する第２挟持部材と、を備え、
前記光学部材と前記第１挟持部材との間、若しくは前記光学部材と前記第２挟持部材との間の少なくとも一方には緩衝部材が介在されてなり、
前記緩衝部材は、圧電素子を具備してなることを特徴とする照明装置。
【請求項２】
前記圧電素子は、当該圧電素子に対する電圧印加に伴って、前記光学部材と前記挟持部材とにより当該圧電素子が挟まれた方向に変形することを特徴とする請求項１に記載の照明装置。
【請求項３】
前記圧電素子に対して電圧印加を行う電源部を備え、
前記電源部は、当該照明装置の温度変化に応じて、前記圧電素子に対する電圧印加を制御することを特徴とする請求項１又は請求項２に記載の照明装置。
【請求項４】
前記電源部は、当該照明装置が温度変化する場合に、前記圧電素子が、前記光学部材と前記挟持部材とにより当該圧電素子が挟まれた方向に小さく変形するように、前記圧電素子に対する電圧印加を制御することを特徴とする請求項１から請求項３に記載の照明装置。
【請求項５】
前記圧電素子に対して電圧印加を行う電源部を備え、
前記電源部は、前記光源が非点灯状態から点灯状態に変化する際、若しくは点灯状態から非点灯状態に変化する際に、前記圧電素子に対する電圧印加状態を切り替えることを特徴とする請求項１又は請求項２に記載の照明装置。
【請求項６】
前記緩衝部材は、前記挟持部材側に前記圧電素子が配される一方、前記光学部材側に当該圧電素子よりも弾性率の高い発泡部材が配されてなることを特徴とする請求項１から請求項５のいずれか１項に記載の照明装置。
【請求項７】
請求項１から請求項６のいずれか１項に記載の照明装置と、
前記照明装置からの光を利用して表示を行う表示パネルと、を備えることを特徴とする表示装置。
【請求項８】
前記表示パネルが液晶を用いた液晶パネルであることを特徴とする請求項７に記載の表示装置。
【請求項９】
請求項７又は請求項８に記載の表示装置を備えることを特徴とするテレビ受信装置。
【発明の詳細な説明】
【技術分野】
【０００１】
本発明は、照明装置、表示装置、及びテレビ受信装置に関する。
【背景技術】
【０００２】
液晶テレビなどの液晶表示装置に用いる液晶パネルは、自発光しないため、別途に照明装置としてバックライト装置を必要としている。このようなバックライト装置は、液晶パネルの裏側（表示面とは反対側）に設置されるようになっており、多数の光源と、この光源の光出射側に配された光学シートとを有した構成のものが公知である（特許文献１参照）。
【特許文献１】特開２００７−２４９１３公報
【発明の開示】
【発明が解決しようとする課題】
【０００３】
特許文献１に開示された技術では、複数枚の光学シートが懸吊された該光学シート面の上辺部を海綿状緩衝材により押圧することにより、使用環境の温湿度変化による該光学シートの緩慢な膨張収縮に対しては制約とならず、製品輸送時の振動衝撃のような急峻で頻繁な動きに対しては各光学シート相互の摩擦抵抗により各光学シートの変位が制限され、各光学シートの摩擦による塵埃の発生を防止することが出来るものとされている。
【０００４】
しかしながら、海綿状緩衝材により押圧する場合であっても、使用環境の温湿度変化による該光学シートの緩慢な膨張収縮に対して制約となるかならないかは、その押圧力の程度に依るところが大きい。つまり、海綿状緩衝材を用いたとしても、光学シートを十分に保持すべく押圧力を大きく設計した場合には、温湿度変化による光学シートの膨張収縮に対して制約が生じる場合がある。そして、このように光学シートの膨張収縮に対して制約が生じた場合、該光学シートに皺や撓みが生じ、その皺や撓みが発生した箇所において出射光のムラが生じる場合がある。
【０００５】
本発明は、光学シート等の光学部材を確実に固定するとともに、使用環境の温度変化が生じたような場合であっても当該光学部材に皺や撓みが生じ難く、均一な光を出射することが可能で、品質に優れた照明装置を提供することを目的としている。
また、本発明は、そのような照明装置を備えた表示装置、さらには、そのような表示装置を備えたテレビ受信装置を提供することを目的としている。
【課題を解決するための手段】
【０００６】
上記課題を解決するために、本発明の照明装置は、光を出射する光出射部を備えた照明装置であって、光源と、前記光源よりも前記光出射部側に配された光学部材とを備え、前記光学部材は、一対の挟持部材により挟持されてなり、前記挟持部材は、前記光学部材を前記光源側から挟持する第１挟持部材と、前記光学部材を前記光源側とは反対側から挟持する第２挟持部材と、を備え、前記光学部材と前記第１挟持部材との間、若しくは前記光学部材と前記第２挟持部材との間の少なくとも一方には緩衝部材が介在されてなり、前記緩衝部材は、圧電素子を具備してなることを特徴とする。
【０００７】
このような照明装置によると、緩衝部材が圧電素子を具備したものであるため、その圧電素子に対する電圧印加により、緩衝部材の厚さを変化させることが可能となる。具体的には、電圧印加に伴って、光学部材と挟持部材とにより挟まれた方向（厚さ方向）に、緩衝部材の大きさ（厚さ）を変化させることが可能となる。これにより、例えば当該照明装置の使用環境の変化（温度変化）等に伴って光学部材に膨張収縮が生じる場合にも、緩衝部材の挟まれた方向の大きさを小さくさせるべく圧電素子に電圧印加（非印加を含む）を行えば、光学部材に対する挟持力（押圧力）が小さくなって、該膨張収縮に対して制約がないものとなる。その結果、光学部材は自由に膨張収縮が可能となり、該光学部材に皺や撓みが生じ難く、均一な光を出射することが可能となる。一方、光学部材に膨張収縮が生じない場合には、緩衝部材の挟まれた方向の大きさを大きくさせるべく圧電素子に電圧印加（非印加を含む）を行うものとすることで、光学部材を十分な挟持力（押圧力）で固定することが可能となる。このように、本発明によれば、光学部材を確実に固定するとともに、使用環境の温度変化が生じたような場合であっても当該光学部材に皺や撓みが生じ難く、均一な光を出射することが可能な品質に優れた照明装置を提供することが可能となる。
【０００８】
上記照明装置において、前記圧電素子に対して電圧印加を行う電源部を備え、前記電源部は、当該照明装置の温度変化に応じて、前記圧電素子に対する電圧印加を制御するものとすることができる。
照明装置の温度変化に応じて、光学部材は膨張収縮する。したがって、当該照明装置の温度変化に応じて、圧電素子に対する電圧印加を制御するものとすれば、該温度変化時に圧電素子の挟まれた方向の大きさを変化させることが可能となり、ひいては光学部材の自由な膨張収縮を可能とし、該光学部材に皺や撓みが生じ難いものとすることが可能となる。
【０００９】
具体的には、前記電源部は、当該照明装置が温度変化する場合に、前記圧電素子が、前記光学部材と前記挟持部材とにより当該圧電素子が挟まれた方向に小さく変形するように、前記圧電素子に対する電圧印加を制御するものとすることができる。
これにより光学部材の自由な膨張収縮を可能とし、該光学部材に皺や撓みが生じ難いものとすることが可能となる。
【００１０】
また、上記照明装置において、前記圧電素子に対して電圧印加を行う電源部を備え、前記電源部は、前記光源が非点灯状態から点灯状態に変化する際、若しくは点灯状態から非点灯状態に変化する際に、前記圧電素子に対する電圧印加状態を切り替えるものとすることができる。
光源の点灯状態が変化する際、温度変化が生じる。つまり、光源が点灯されると発光により発熱し温度上昇が生じ、光源の点灯が解除されると温度低下が生じる。したがって、光源の点灯状態が変化すると、光学部材は膨張収縮する。そこで、当該光源の点灯変化に応じて、圧電素子に対する電圧印加状態を切り替えるものとすれば、該点灯変化時に圧電素子の挟まれた方向の大きさを変化させることが可能となり、ひいては光学部材の自由な膨張収縮を可能とし、該光学部材に皺や撓みが生じ難いものとすることが可能となる。
【００１１】
また、上記照明装置において、前記緩衝部材は、前記挟持部材側に前記圧電素子が配される一方、前記光学部材側に当該圧電素子よりも弾性率の高い発泡部材が配されてなるものとすることができる。
このように発泡部材を光学部材側に配置することで、光学部材との間で擦れが生じ難く、該擦れに起因した異音が生じたり、該光学部材に傷を付けたりする不具合発生を好適に防止することが可能となる。
【００１２】
次に、上記課題を解決するために、本発明の表示装置は、上記記載の照明装置と、前記照明装置からの光を利用して表示を行う表示パネルと、を備えることを特徴とする。
このような表示装置によると、照明装置から表示パネルに対して均一な光を照射することが可能なため、表示品質の優れた表示を実現することが可能となる。
【００１３】
前記表示パネルとしては液晶パネルを例示することができる。このような表示装置は液晶表示装置として、種々の用途、例えばテレビやパソコンのディスプレイ等に適用でき、特に超薄型のテレビ受信装置として好適である。
【発明の効果】
【００１４】
本発明によると、光学シート等の光学部材を確実に固定するとともに、使用環境の温度変化が生じたような場合であっても当該光学部材に皺や撓みが生じ難く、均一な光を出射することが可能で、品質に優れた照明装置を提供することが可能となる。また、本発明により、そのような照明装置を備えた高品質の表示装置、さらには、そのような表示装置を備えた高品質のテレビ受信装置を提供することが可能となる。
【発明を実施するための最良の形態】
【００１５】
本発明の実施形態について図面を参照しつつ説明する。
図１は本実施形態のテレビ受信装置の概略構成を示す分解斜視図、図２は図１のテレビ受信装置が備える液晶表示装置の概略構成を示す分解斜視図、図３は図２の液晶表示装置の短辺方向に沿った断面構成を示す要部拡大断面図、図４は図２の液晶表示装置の長辺方向に沿った断面構成を示す要部拡大断面図、図５は照明装置に設けられた緩衝部材を拡大して示す断面図、図６は緩衝部材に備えられた圧電素子の構成を示す説明図、図７は圧電素子駆動機構の構成を示すブロック図、図８は圧電素子の厚さ増大態様を示す説明図、図９は圧電素子の厚さ減少態様を示す説明図である。
【００１６】
本実施形態に係るテレビ受信装置ＴＶは、図１に示すように、液晶表示装置１０と、当該液晶表示装置１０を挟むようにして収容する表裏両キャビネットＣａ，Ｃｂと、電源Ｐと、チューナーＴと、スタンドＳとを備えて構成される。液晶表示装置（表示装置）１０は、全体として横長の方形を成し、縦置き状態で収容されている。この液晶表示装置１０は、図２に示すように、表示パネルである液晶パネル１１と、外部光源であるバックライト装置（照明装置）１２とを備え、これらが枠状のベゼル１３などにより一体的に保持されるようになっている。
【００１７】
次に、液晶表示装置１０を構成する液晶パネル１１及びバックライト装置１２について説明する（図２ないし図４参照）。
液晶パネル（表示パネル）１１は、一対のガラス基板が所定のギャップを隔てた状態で貼り合わせられるとともに、両ガラス基板間に液晶が封入された構成とされる。一方のガラス基板には、互いに直交するソース配線とゲート配線とに接続されたスイッチング素子（例えばＴＦＴ）と、そのスイッチング素子に接続された画素電極、さらには配向膜等が設けられ、他方のガラス基板には、Ｒ（赤色），Ｇ（緑色），Ｂ（青色）等の各着色部が所定配列で配置されたカラーフィルタや対向電極、さらには配向膜等が設けられている。なお、両基板の外側には偏光板１１ａ，１１ｂが配されている（図３及び図４参照）。
【００１８】
バックライト装置１２は、図２に示すように、光出射面側（液晶パネル１１側）に開口した略箱型をなすシャーシ１４と、シャーシ１４の開口部１４ｂを覆うようにして取り付けられる拡散板１５ａ、および拡散板１５ａよりも更に光出射面側に配された光学シート群１５ｂからなる光学部材１５と、シャーシ１４の長辺に沿って配され、光学部材１５をシャーシ１４（挟持部材）との間で挟んで保持する長辺フレーム（挟持部材）１６とを備える。さらに、シャーシ１４内には、冷陰極管（光源）１７と、冷陰極管１７をシャーシ１４に取り付けるためのランプクリップ１８と、冷陰極管１７の各端部において電気的接続の中継を担う中継コネクタ１９と、冷陰極管１７群の端部及び中継コネクタ１９群を一括して覆うホルダ２０とを備える。なお、当該バックライト装置１２においては、冷陰極管１７よりも光学シート群１５ｂ側が光出射側となっており、本実施形態では光学シート群１５ｂの光出射側（つまり液晶パネル１１側）が光出射部（光出射面）１５ｚとなっている（図３及び図４参照）。
【００１９】
シャーシ１４は、金属製とされ、矩形状の底板と、その各辺から立ち上がり略Ｕ字状に折り返されて底板と段差をなす折返し外縁部（段差部）２１（短辺方向の折返し外縁部２１ａ及び長辺方向の折返し外縁部２１ｂ）とからなる浅い略箱型に板金成形されている。シャーシ１４の底板には、その長辺方向の両端部に、中継コネクタ１９を取り付けるための取付孔２２が複数穿設されている。さらに、シャーシ１４の折返し外縁部（段差部）２１ｂの上面には、図３に示すように、固定孔１４ｃが穿設されており、例えばネジ等によりベゼル１３、フレーム１６、及びシャーシ１４等を一体化することが可能とされている。
【００２０】
シャーシ１４の底板の内面側（冷陰極管１７と対向する面側）には反射シート２３が配設されている。反射シート２３は、合成樹脂製とされ、その表面が光反射性に優れた白色とされており、シャーシ１４の底板面の内側に沿ってそのほぼ全域を覆うように敷かれている。当該反射シート２３の長辺縁部は、図３に示すように、シャーシ１４の折返し外縁部（段差部）２１ｂを覆うように立ち上がり、シャーシ１４と拡散板１５ａとに挟まれた状態で固定されている。この反射シート２３により、冷陰極管１７から出射された光を拡散板１５ａ側に反射させることが可能となっている。
【００２１】
冷陰極管（光源）１７は、細長い管状をなす線状光源とされており、その長さ方向（軸方向）をシャーシ１４の長辺方向と一致させた状態で、かつ多数本が互いに平行に並んだ状態（つまり並列配置された状態）でシャーシ１４内に収容されている（図２参照）。なお、冷陰極管１７は、シャーシ１４の底板（反射シート２３）から僅かに浮いた状態とされており、その各端部が中継コネクタ１９に嵌め込まれ、これら中継コネクタ１９を被覆するようにホルダ（カバー部材）２０が取り付けられている。
【００２２】
ホルダ（カバー部材）２０は、光反射性の白色を呈する合成樹脂製とされ、冷陰極管１７の端部を覆い、シャーシ１４の短辺方向に沿って延びる細長い略箱型をなしている。当該ホルダ２０は、図４に示すように、シャーシ１４の短辺方向の折返し外縁部２１ａと一部重畳した状態で配されており、折返し外縁部２１ａとともに当該バックライト装置１２の側壁を形成している。ホルダ２０のうちシャーシ１４の折返し外縁部２１ａと対向する面からは挿入ピン２４が突出しており、当該挿入ピン２４がシャーシ１４の折返し外縁部２１ａの上面に形成された挿入孔２５に挿入されることで、当該ホルダ２０はシャーシ１４に取り付けられるものとされている。
【００２３】
また、ホルダ２０の光出射面１５ｚ側はシャーシ１４の底板面と平行な２面からなり、低い側の位置にある拡散板載置面（第１面）２０ａには拡散板１５ａの短辺縁部が載置されている。さらに、拡散板載置面（第１面）２０ａからは、シャーシ１４の底板面に向けて傾斜する傾斜カバー２６が延出している。ホルダ２０の第２面２０ｂには、液晶パネル１１を挟持するための短辺フレーム１６ａが被せられている。なお、図２においては、図面上の視認性確保のために短辺フレーム１６ａの図示を省略している。また、図４においては、図面上の視認性確保のために冷陰極管１７の図示を省略している。
【００２４】
拡散板１５ａは矩形状に構成されるとともに、その４辺のうち短辺側端部がホルダ２０の拡散板載置面（第１面）２０ａ上に、長辺側端部がシャーシ１４の折返し外縁部（段差部）２１ｂ上に配されており、冷陰極管１７からの光を拡散しつつ透過する部材により構成されている。具体的には、合成樹脂製の板状部材に光散乱粒子が分散配合されてなり、線状光源（管状光源）たる冷陰極管１７から出射される線状の光を拡散して面状に変換する機能を有する。なお、本実施形態の拡散板１５ａの厚さは２ｍｍ、全光線透過率は約８５％とされている。
【００２５】
光学シート群１５ｂは、冷陰極管１７から出射された光、詳しくは拡散板１５ａから出射された光の出射特性（例えば出射角度、面内輝度分布等）を変化させる部材であって、拡散板１５ａ側から該拡散板１５ａに隣接して配されたレンズシート、拡散シート、反射型偏光フィルム等が積層された構成を有している（図１参照）。光学シート群１５ｂは、拡散板１５ａと同じく矩形状に構成され、短辺側端部が拡散板１５ａの外縁部と長辺フレーム１６とにより挟持される一方、長辺側端部が同じく拡散板１５ａの外縁部と短辺フレーム１６ａとにより挟持されている。したがって、本実施形態では、拡散板１５ａが光学シート群１５ｂを冷陰極管１７側から挟持する第１挟持部材として、長辺フレーム１６及び短辺フレーム１６ａが、光学シート群１５ｂを光出射面１５ｚ側から挟持する第２挟持部材として構成されている。なお、拡散板１５ａを挟持部材として捉えているが、実質的には、シャーシ１４及びホルダ２０が拡散板１５ａを介して光学シート群１５ｂを支持しており、該シャーシ１４及びホルダ２０が第１挟持部材を構成していると言える。
【００２６】
光学シート群１５ｂのうちレンズシートは、合成樹脂製の透光性基材の表面（光出射面）に、線状の凸レンズ（凸シリンドリカルレンズ、レンチキュラーレンズ）が並列に形成された構成を有し、冷陰極管１７の長手方向と凸レンズの長手方向とが平行となるように配置されている。拡散シートは、合成樹脂製の透光性基材の表面に光散乱粒子を分散配合した拡散層を貼り合わせた構成を有している。光出射面１５ｚを有した（つまり液晶パネル１１と対向して配置された）反射型偏光フィルムは、拡散シートから出射された光の一部を透過させ、他部を反射させる構成であり、液晶パネル１１の画素への光利用効率を高める機能を有している。なお、反射された光は反射シート２３等の反射によって再利用するものとされている。
【００２７】
また、光学シート群１５ｂ（ここでは反射型偏光フィルム）は、図３及び図４に示すように、長辺フレーム１６及び短辺フレーム１６ａとの間に緩衝部材７０を介して配されている。この緩衝部材７０は、図５に示すように、電圧印加に伴って変形する圧電素子７２と、圧電素子７２よりも弾性率の高いウレタン樹脂等からなるスポンジ状の発泡部材７１が接着により貼り合わされてなる構成を有している。
【００２８】
圧電素子７２は、本実施形態では圧電縦効果タイプのものを用いており、図６に示すように、厚さ方向（図示した座標軸のうちｙ軸方向：ここでは光学シート群１５ｂと挟持部材１６とにより当該圧電素子７２（緩衝部材７０）が挟まれた方向）に大きさを変化可能な構成を有したものである。具体的には、一対の電極７４，７５により、圧電体７３がその厚さ方向（ｙ軸方向）を挟持された構成を有し、電源部８０から電圧が印加されると、図８に示すように圧電体７３が厚さ方向（ｙ軸方向）を大きくするように変形するものとされている。一方、電源部８０からの電圧印加を解除すると、図９に示すように圧電体７３が厚さ方向（ｙ軸方向）を小さくするように変形する。なお、圧電体７３としては、チタン酸ジルコン酸鉛、チタン酸バリウム、ニオブ酸リチウム、タンタル酸リチウム等を用いて構成することができる。
【００２９】
電源部８０は、図７に示すように、圧電素子駆動機構１００を構成しており、図３に示すようにシャーシ１４の内側に配された温度センサ９１、若しくは図２に示すようにシャーシ１４の外側に配されたインバータ基板（光源駆動回路）９０からの情報に基づいて、圧電素子７２への電圧印加を制御するものとしている。
【００３０】
具体的には、温度センサ９１からの温度情報に基づいて圧電素子７２に対する電圧印加を制御する場合は、以下の通りである。
バックライト装置１２の温度が所定値だけ変化した場合、圧電素子７２の厚さが小さく変形するように、該圧電素子７２に対する電圧印加を解除する（電圧非印加状態）。一方、温度が所定時間一定となった場合には、圧電素子７２に対する電圧印加を再び行うものとしている（電圧印加状態）。これにより、バックライト装置１２の温度変化に応じて、圧電素子７２に対する電圧印加の制御を可能にしている。
【００３１】
一方、光源駆動回路９０からの情報に基づいて圧電素子７２に対する電圧印加を制御する場合は、以下の通りである。
光源駆動回路９０からの情報、つまり光源駆動回路９０から冷陰極管１７に電力供給を行っているか否かの情報により点灯状態情報を取得し、冷陰極管１７の点灯状態が変化する際（非点灯状態から点灯状態に変化する際、若しくは点灯状態から非点灯状態に変化する際）に、圧電素子７２の厚さが小さく変形するように、該圧電素子７２に対する電圧印加を解除する（電圧非印加状態）。一方、点灯状態が変化して所定時間だけ一定の点灯状態（非点灯状態を含む）が保たれると、圧電素子７２に対する電圧印加を再び行うものとしている（電圧印加状態）。これにより、バックライト装置１２における冷陰極管１７の点灯状態の変化に応じて、圧電素子７２に対する電圧印加の制御を可能にしている。
【００３２】
なお、長辺フレーム１６及び短辺フレーム１６ａは合成樹脂製の枠部材であり、光学シート群１５ｂを挟持する面とは反対側に液晶パネル１１を載置する載置面を有している。そして、その長辺フレーム１６及び短辺フレーム１６ａと、バックライト装置１２の外側に被せられたベゼル（第３挟持部材）１３との間で液晶パネル１１を挟持しており、各フレーム１６，１６ａと液晶パネル１１との間には緩衝部材６０が配されている。この緩衝部材６０は、上述した発泡部材７１と同一の構成を有している。
【００３３】
本実施形態では、シャーシ１４の内面側に配された反射シート２３と拡散板１５ａとの間に形成された空間（光源収容室）に、冷陰極管１７が並列配置されて収容されている。本実施形態で用いた冷陰極管１７は管径ｘ＝４．０ｍｍ、冷陰極管１７と反射シート２３との間の距離ｙ＝０．８ｍｍ、隣り合う冷陰極管１７間の距離ｚ＝１６．４ｍｍ、冷陰極管１７と拡散板１５ａとの距離ｗ＝２．７ｍｍとされている。このようにバックライト装置１２では各構成部材間で薄型化が図られており、特に冷陰極管１７と拡散板１５ａとの距離、冷陰極管１７と反射シート２３との距離を小さくしている。そして、このようなバックライト装置１２の薄型化により、液晶表示装置１０の厚さ（つまり液晶パネル１１の表面からバックライト装置１２の裏面に至る厚さ）が１６ｍｍ、テレビ受信装置ＴＶの厚さ（つまり表側キャビネットＣａの表面から裏側キャビネットＣｂの裏面に至る厚さ）が３４ｍｍとされ、薄型のテレビ受信装置が実現されている。
【００３４】
以上のような構成を有した本実施形態によると、以下のような作用効果が奏される。
バックライト装置１２において、光学シート群１５ｂ（光学部材１５）と長辺フレーム１６，短辺フレーム１６ａとの間には緩衝部材７０が介在されてなり、その緩衝部材７０が圧電素子７２を具備したものであるため、その圧電素子７２に対する電圧印加により、緩衝部材７０の厚さを変化させることができる。
【００３５】
具体的には、緩衝部材７０が、圧電素子７２への電圧印加に伴って、光学シート群１５ｂ（光学部材１５）とフレーム１６，１６ａとにより挟まれた方向（厚さ方向：図５のｙ軸方向）に、その厚さを変化可能なものとなっている。これにより、例えばバックライト装置１２の使用環境の変化（温度変化）等に伴って光学シート群１５ｂ（光学部材１５）に膨張収縮（図５のｘ軸方向）が生じる場合にも、緩衝部材７０の厚さを小さくさせるべく圧電素子７２に対する電圧印加を解除すれば、光学シート群１５ｂ（光学部材１５）に対する挟持力（押圧力）が小さくなって、該光学シート群１５ｂ（光学部材１５）の膨張収縮に対して制約がないものとなる。その結果、光学シート群１５ｂ（光学部材１５）は自由に膨張収縮が可能となり、該光学シート群１５ｂ（光学部材１５）に皺や撓みが生じ難く、当該皺や撓みに起因する出射光のムラが生じ難いものとなっている。一方、バックライト装置１２の使用環境（温度等）が一定となり、光学シート群１５ｂ（光学部材１５）に膨張収縮が生じない場合には、緩衝部材７０の厚さを大きくさせるべく圧電素子７２に電圧印加を行うものとすることで、光学シート群１５ｂ（光学部材１５）を十分な挟持力（押圧力）で固定することが可能となる。このように、本実施形態の構成によれば、光学シート群１５ｂ（光学部材１５）を確実に固定するとともに、温度変化が生じたような場合であっても、圧電素子７２への電圧印加制御により、当該光学部材１５（光学シート群１５ｂ）に皺や撓みが生じ難く、均一な光を出射することが可能となる。
【００３６】
特に、温度センサ９１からの情報に基づき、つまりバックライト装置１２の温度変化に応じて圧電素子７２に対する電圧印加を制御する場合、該温度変化に応じて圧電素子７２の厚さ方向（図６のｙ軸方向）の大きさを変化させることが可能となり、ひいては該温度変化時の光学シート群１５ｂ（光学部材１５）の自由な膨張収縮を可能とし、該光学シート群１５ｂ（光学部材１５）に皺や撓みが生じ難いものとすることが可能となる。特に、光学シート群１５ｂ（光学部材１５）の膨張収縮は温度変化に大きく左右されるため、このように温度センサ９１からの情報に基づいて圧電素子７２の駆動を制御することが好ましい。
【００３７】
また、光源駆動回路９０からの情報に基づき、つまり冷陰極管１７の点灯状態に応じて圧電素子７２に対する電圧印加を制御する場合、該冷陰極管１７の点灯状態の変化時に圧電素子７２の厚さ方向（図６のｙ軸方向）の大きさを変化させることが可能となり、ひいては該点灯状態の変化時における光学シート群１５ｂ（光学部材１５）の自由な膨張収縮を可能とし、該光学シート群１５ｂ（光学部材１５）に皺や撓みが生じ難いものとすることが可能となる。光学シート群１５ｂ（光学部材１５）の膨張収縮は温度変化に大きく左右されるが、該温度変化は、冷陰極管１７の点灯状態が変化する際に大きくなるため、光源駆動回路９０からの情報に基づいて圧電素子７２の駆動を制御することが好ましい。
【００３８】
以上、本発明に係る実施の形態を示したが、本発明は上記記述及び図面によって説明した実施形態に限定されるものではなく、例えば次のような実施形態も本発明の技術的範囲に含まれ、さらに、下記以外にも要旨を逸脱しない範囲内で種々変更して実施することができる。
【００３９】
＜圧電素子７２の変形例＞
上記実施形態では、圧電素子７２の圧電体として、圧電縦効果タイプのものを用いたが、図１０に示すように圧電横効果タイプの圧電体７３ａを採用することもできる。この場合、図１１に示すように、電圧印加に伴って厚さ（ｙ軸方向）が減少し、図１２に示すように、電圧印加解除に伴って厚さ（ｙ軸方向）が増大する。
【００４０】
したがって、バックライト装置１２の使用環境の変化（温度変化）等に伴って光学シート群１５ｂ（光学部材１５）に膨張収縮（図５のｘ軸方向）が生じる場合にも、緩衝部材７０の厚さを小さくさせるべく圧電素子７２に対して電圧印加を行えば、光学シート群１５ｂ（光学部材１５）に対する挟持力（押圧力）が小さくなって、該光学シート群１５ｂ（光学部材１５）の膨張収縮に対して制約がないものとなる。その結果、光学シート群１５ｂ（光学部材１５）は自由に膨張収縮が可能となり、該光学シート群１５ｂ（光学部材１５）に皺や撓みが生じ難く、均一な光を出射することが可能となる。一方、光学シート群１５ｂ（光学部材１５）に膨張収縮が生じない場合には、緩衝部材７０の厚さを大きくさせるべく圧電素子７２に対する電圧印加を解除することで、光学シート群１５ｂ（光学部材１５）を十分な挟持力（押圧力）で固定することが可能となる。
【００４１】
このように、圧電横効果タイプの圧電体７３ａを用いた場合でも、光学シート群１５ｂ（光学部材１５）を確実に固定するとともに、温度変化が生じたような場合であっても、当該光学シート群１５ｂ（光学部材１５）に皺や撓みが生じ難く、均一な光を出射することが可能となる。
【００４２】
＜緩衝部材７０の平面配置例＞
緩衝部材７０の平面視設計例としては、例えば図１３に示すように、光学部材１５（光学シート群１５ｂ）の四辺のそれぞれに、一片の直線状の緩衝部材７０を配置することができる。
或いは、図１４に示すように、光学部材１５（光学シート群１５ｂ）の四辺のそれぞれに、断片的に複数の緩衝部材７０を配置するものとしても良い。
【００４３】
＜緩衝部材７０の設置位置＞
上記実施形態では、長辺フレーム１６及び短辺フレーム１６ａと光学シート群１５ｂとの間に緩衝部材７０を設ける構成としたが、図１５に示すように、拡散板１５ａと光学シート群１５ｂとの間に緩衝部材７０を配設するものとしても良い。この場合、実質的にはシャーシ１４が挟持部材となり、光学シート群１５ｂ（光学部材１５）を挟持するための機能を具備することとなる。
【００４４】
＜その他の変形例＞
さらに、本実施形態においては、以下のような変形も可能である。
（１）光源としては冷陰極管を採用したが、熱陰極管等その他の放電管を用いることもできる。
（２）シャーシ１４の折返し外縁部（段差部）２１ｂ上、及びホルダ２０の第１面２０ａ上に拡散板１５ａを配した構成としているが、光学シート群１５ｂよりも厚さが大きく、当該光学シート群１５ｂをフレーム１６，１６ａとの間で挟持可能な部材であれば、シャーシ１４の折返し外縁部（段差部）２１ｂ上、及びホルダ２０の第１面２０ａ上に配する部材は当該拡散板１５ａに限らない。
（３）反射型偏光フィルムの光出射側の面をバックライト装置（照明装置）１２の光出射面（光出射部）１５ｚとしているが、光出射部は照射対象（液晶パネル）に対向する部材の対向面に形成されるものであるため、例えば光出射側に拡散シート等の光学シートが配された場合には、当該光学シートの光出射側が光出射部となり、その光学シートが緩衝部材７０を介してフレーム１６，１６ａに挟持されることとなる。
【図面の簡単な説明】
【００４５】
【図１】本発明の実施形態に係るテレビ受信装置の概略構成を示す分解斜視図。
【図２】図１のテレビ受信装置が備える液晶表示装置の概略構成を示す分解斜視図。
【図３】図２の液晶表示装置の短辺方向に沿った断面構成を示す断面図。
【図４】図２の液晶表示装置の長辺方向に沿った断面構成を示す断面図。
【図５】照明装置に設けられた緩衝部材を拡大して示す断面図。
【図６】緩衝部材に備えられた圧電素子の構成を示す説明図。
【図７】圧電素子駆動機構の構成を示すブロック図。
【図８】圧電素子の厚さ増大態様を示す説明図。
【図９】圧電素子の厚さ減少態様を示す説明図。
【図１０】圧電素子の一変形例の構成を模式的に示す説明図。
【図１１】図１０の圧電素子の厚さ減少態様を示す説明図。
【図１２】図１０の圧電素子の厚さ増大態様を示す説明図。
【図１３】緩衝部材の平面配置の一例を示す説明図。
【図１４】緩衝部材の平面配置の一変形例を示す説明図。
【図１５】緩衝部材の設置位置の一変形例を示す説明図。
【符号の説明】
【００４６】
１０…液晶表示装置（表示装置）、１１…液晶パネル（表示パネル）、１２…バックライト装置（照明装置）、１３…ベゼル（第３挟持部材）、１４…シャーシ（第１挟持部材）、１５…光学部材、１５ａ…拡散板（光学部材）、１５ｂ…光学シート群（光学部材）、１５ｚ…光出射面（光出射部）、１６…長辺フレーム（第２挟持部材）、１６ａ…短辺フレーム（第２挟持部材）、１７…冷陰極管（光源）、２０…カバー部材（第１挟持部材）、７０…緩衝部材、７１…発泡部材、７２…圧電素子、７３…圧電体、７４，７５…電極、ＴＶ…テレビ受信装置
【図１】
2010003582.tif 000003
【図２】
2010003582.tif 000004
【図３】
2010003582.tif 000005
【図４】
2010003582.tif 000006
【図５】
2010003582.tif 000007
【図６】
2010003582.tif 000008
【図７】
2010003582.tif 000009
【図８】
2010003582.tif 000010
【図９】
2010003582.tif 000011
【図１０】
2010003582.tif 000012
【図１１】
2010003582.tif 000013
【図１２】
2010003582.tif 000014
【図１３】
2010003582.tif 000015
【図１４】
2010003582.tif 000016
【図１５】
2010003582.tif 000017